【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
画像データを出力する撮像手段と、
撮像を抑止すべき被写体候補を示す撮像抑止対象被写体候補情報を記憶する撮像抑止情報記憶手段と、
前記画像データから被写体候補を示す被写体候補情報を抽出する被写体候補情報抽出手段と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定手段と、
前記撮像抑止判定手段から、前記画像データが前記撮像を抑止すべき画像データであるとの判定情報が出力された場合は、前記画像データが前記撮像を抑止すべき画像データであることをユーザに通知する通知手段と、を備えることを特徴とする撮像装置。
【請求項２】
画像データを出力する撮像手段と、
撮像を抑止すべき被写体候補を示す撮像抑止対象被写体候補情報を記憶する撮像抑止情報記憶手段と、
前記画像データから被写体候補を示す被写体候補情報を抽出する被写体候補情報抽出手段と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定手段と、
前記撮像抑止判定手段から、前記画像データが前記撮像を抑止すべき画像データであるとの判定情報が出力された場合は、調整後の撮像範囲で撮像された画像データが前記撮像を抑止すべき被写体候補を含んでいると前記撮像抑止判定手段で判定されなくなるように前記撮像手段の撮像範囲を調整する制御手段と、を備えることを特徴とする撮像装置。
【請求項３】
前記制御手段は、前記被写体候補のうち、前記撮像抑止対象被写体候補とのマッチング度が最も小さい被写体候補が、調整後の撮像範囲における主たる被写体候補となるように前記撮像手段の撮像範囲を調整することを特徴とする請求項２に記載の撮像装置。
【請求項４】
撮像モードを指定する撮像モード指定手段をさらに備え、
前記判定情報を出力するにあたり、前記撮像抑止判定手段は、前記撮像モード指定手段で指定された前記撮像モードに予め対応付けられた前記撮像抑止対象被写体候補情報と、前記被写体候補情報とのマッチング処理を行うことを特徴とする請求項１乃至３のいずれか１項に記載の撮像装置。
【請求項５】
前記画像データを表示する表示手段をさらに備え、
前記撮像抑止判定手段は、前記被写体候補情報が示す前記被写体候補のそれぞれについて、前記撮像を抑止すべき被写体候補に該当するか否かを判断し、
前記表示手段は、前記画像データに含まれる被写体候補のうち、前記撮像を抑止すべき被写体候補に該当する被写体候補を識別できるように前記画像データを表示することを特徴とする請求項１乃至４のいずれか１項に記載の撮像装置。
【請求項６】
前記画像データを記録する画像データ記録手段をさらに備え、
前記画像データ記録手段は、前記撮像抑止判定手段から、前記画像データが前記撮像を抑止すべき画像データであるとの判定情報が出力された場合は、前記画像データを記録しないことを特徴とする請求項１、４、５のいずれか１項に記載の撮像装置。
【請求項７】
画像データを出力する撮像工程と、
予め記憶された撮像を抑止すべき被写体候補を示す撮像抑止対象被写体候補情報を読み出す撮像抑止情報読出工程と、
前記画像データから被写体候補を示す被写体候補情報を抽出する被写体候補情報抽出工程と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定工程と、
前記撮像抑止判定工程において、前記画像データが前記撮像を抑止すべき画像データであるとの判定情報が出力された場合は、前記画像データが前記撮像を抑止すべき画像データであることをユーザに通知する通知工程と、を備えることを特徴とする撮像装置の制御方法。
【請求項８】
画像データを出力する撮像工程と、
予め記憶された撮像を抑止すべき被写体候補を示す撮像抑止対象被写体候補情報を読み出す撮像抑止情報読出工程と、
前記画像データから被写体候補を示す被写体候補情報を抽出する被写体候補情報工程と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定工程と、
前記撮像抑止判定工程において、前記画像データが前記撮像を抑止すべき画像データであるとの判定情報が出力された場合は、調整後の撮像範囲で撮像された画像データが前記撮像を抑止すべき被写体候補を含んでいると前記撮像抑止判定工程で判定されなくなるように前記撮像工程の撮像範囲を調整する制御工程と、を備えることを特徴とする撮像装置の制御方法。
【請求項９】
コンピュータに、請求項７または８に記載の撮像装置の制御方法の各工程を実行させるためのプログラム。
【請求項１０】
請求項９に記載のプログラムを記録したコンピュータが読み取り可能な記録媒体。
【手続補正２】
【補正対象書類名】明細書
【補正対象項目名】発明の名称
【補正方法】変更
【補正の内容】
【発明の名称】撮像装置、撮像装置の制御方法、プログラム及び記録媒体
【手続補正３】
【補正対象書類名】明細書
【補正対象項目名】０００３
【補正方法】変更
【補正の内容】
【０００３】
上記した従来技術における撮像装置は、主として画面内の人物領域の画面内における占有比率に着目して、最適な構図をアドバイスする機能を備えるだけであって、撮影者の意図しない被写体が画面内に含まれている場合に、その旨を撮影者に通知したり、撮像を抑止するものではなかった。
【手続補正４】
【補正対象書類名】明細書
【補正対象項目名】０００４
【補正方法】変更
【補正の内容】
【０００４】
従って本発明の目的は、撮像しようとする画像データの被写体に、予め登録された撮像抑止対象被写体候補が含まれる場合には、その旨を撮影者に通知する、もしくは撮像を抑止することが可能な撮像装置を提供することにある。
【手続補正５】
【補正対象書類名】明細書
【補正対象項目名】０００５
【補正方法】変更
【補正の内容】
【０００５】
上述の目的を達成するため、本発明の一見地に係る撮像装置は、画像データを出力する撮像手段と、
撮像を抑止すべき被写体候補を示す撮像抑止対象被写体候補情報を記憶する撮像抑止情報記憶手段と、
前記画像データから被写体候補を示す被写体候補情報を抽出する被写体候補情報抽出手段と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定手段と、
前記撮像抑止判定手段から、前記画像データが前記撮像を抑止すべき画像データであるとの判定情報が出力された場合は、前記画像データが前記撮像を抑止すべき画像データであることをユーザに通知する通知手段と、を備える。
【手続補正６】
【補正対象書類名】明細書
【補正対象項目名】０００６
【補正方法】変更
【補正の内容】
【０００６】
また、上述の目的は、本発明の他の見地に係る撮像装置の制御方法であって、画像データを出力する撮像工程と、
予め記憶された撮像を抑止すべき被写体候補を示す撮像抑止対象被写体候補情報を読み出す撮像抑止情報読出工程と、
前記画像データから被写体候補を示す被写体候補情報を抽出する被写体候補情報抽出工程と、
前記撮像抑止対象被写体候補情報と前記被写体候補情報とのマッチング処理の結果、前記画像データが前記撮像を抑止すべき被写体候補を含んでいると判定される場合には、前記画像データが撮像を抑止すべき画像データであるとの判定情報を出力する撮像抑止判定工程と、
前記撮像抑止判定工程において、前記画像データが前記撮像を抑止すべき画像データであるとの判定情報が出力された場合は、前記画像データが前記撮像を抑止すべき画像データであることをユーザに通知する通知工程と、を備えることを特徴とする撮像装置の制御方法によっても達成される。
【手続補正７】
【補正対象書類名】明細書
【補正対象項目名】０００７
【補正方法】変更
【補正の内容】
【０００７】
本発明のさらに他の見地に係るプログラムは、コンピュータに、本発明の撮像装置の制御方法の各工程を実行させる。
【手続補正８】
【補正対象書類名】明細書
【補正対象項目名】０００８
【補正方法】変更
【補正の内容】
【０００８】
本発明のさらに他の見地は、コンピュータに、本発明の撮像装置の制御方法の各工程を実行させるためのプログラムが記録されるコンピュータが読み取り可能な記録媒体に関する。
【手続補正９】
【補正対象書類名】明細書
【補正対象項目名】０００９
【補正方法】変更
【補正の内容】
【０００９】
本発明によれば、撮像しようとする画像データの被写体に、予め登録された撮像抑止対象被写体候補が含まれる場合には、その旨を撮影者に通知すること、もしくは撮像を抑止することが可能になる。